(57)【特許請求の範囲】
【請求項１】
複数の樹種の単板が複数枚上下に積層された単板積層材からなる積層複合木質材において、
前記複数の単板は、気乾比重０．５以上０．６未満の複数枚の中質薄板材と、気乾比重０．４以下の複数枚の柔質薄板材とを含み、
前記中質薄板材と前記柔質薄板材とは、前記積層複合木質材の積層中心から上下に略対称に配置されており、
前記積層の中心付近から表裏寄りに向けて、柔質部、混在部及び中質部の順に配置された各領域を備え、
前記柔質部は、前記単板の積層厚みが前記中質薄板材よりも前記柔質薄板材の方が多い領域であり、
前記混在部は、前記中質薄板材と前記柔質薄板材とが混在している領域であり、
前記中質部は、前記単板の積層厚みが前記柔質薄板材よりも前記中質薄板材の方が多い領域であることを特徴とする積層複合木質材。
【請求項２】
前記複数枚の中質薄板材は、複数の樹種の単板が混在しているのに対して、前記複数枚の柔質薄板材は、単一の樹種の単板のみで構成されていることを特徴とする請求項１記載の積層複合木質材。
【請求項３】
前記積層複合木質材の上下両方の表面側に、気乾比重０．７以上の堅質薄板材が配置されたことを特徴とする請求項１又は２に記載の積層複合木質材。
【請求項４】
前記柔質薄板材は、マツ目マツ科とマツ目ヒノキ科とからなる群に属する樹種から選択された少なくとも１種を含むことを特徴とする請求項１〜３の何れかに記載の積層複合木質材。
【請求項５】
前記中質薄板材は、ブナ目カバノキ科、バラ目ニレ科及びムクロジ目センダン科からなる群に属する樹種から選択された少なくとも１種を含むことを特徴とする請求項１〜４の何れかに記載の積層複合木質材。
【請求項６】
前記堅質薄板材は、ブナ目ブナ科からなる群に属する樹種から選択された少なくとも１種を含むことを特徴とする請求項３に記載の積層複合木質材。
【請求項７】
前記単板の少なくとも１枚は、その繊維方向が他の単板の繊維方向に略直交するように配置されていることを特徴とする請求項１〜６の何れかに記載の積層複合木質材。
【請求項８】
請求項１〜７の何れかに記載の積層複合木質材を製造する方法であって、
単板製造ステップと単板輸送ステップと積層ステップとを含み、
前記単板製造ステップは、原料木材の産地に近い複数の産地製造所で、伐採した木材を加工して単板を製造する工程であり、
前記単板輸送ステップは、原料木材の産地から遠い積層製造所へ、前記産地製造所で製造された単板を輸送する工程であり、
前記積層ステップは、前記積層製造所で、前記単板を積層して積層複合木質材を製造する工程であることを特徴とする積層複合木質材の製造方法。
【発明の詳細な説明】
【技術分野】
【０００１】
本発明は、単板積層材からなる積層複合木質材及びその製造方法に関するものである。
【背景技術】
【０００２】
従来、積層複合木質材として本願出願人によって特許文献１が提案されている。特許文献１に係る発明は、南方産の木質材を使用することにより、所望の曲げ強度などの諸特性を備えた積層複合木質材およびその製造方法を提供することを目的とするもので、絶乾比重０．６以上の薄板材と絶乾比重０．４以下の薄板材とを交互に少なくとも３層以上積層一体化したことを特徴とする。特に絶乾比重０．６以上の薄板材であるラバーウッドと、絶乾比重０．４以下の薄板材であるファルカタとが使用されるものである。
他方、戦後大量に植林されたスギなど国産針葉樹は地域環境の観点からも間伐・主伐を必要としているが、曲げヤング係数が低いという物性と節が多いなどの表面性の問題で充分な需要開発が進んでいない。
【０００３】
コナラ、アベマキ、クヌギ、センダン、シラカバなどの国産広葉樹は、スギ、ヒノキ、カラマツなど針葉樹伐採時に森林に混入しているものが副次的に伐採されて単一樹種での供給が不可能なため、特殊な銘木類を除いてパルプ用と燃料用のチップとして消費されている。
【０００４】
そのため、内装建材用として、従来は、ラワン材など南方産広葉樹や、ポプラやユーカリなどの中国からの輸入木材やその加工品が利用されてきた。ところが、ポプラなど柔らかい木の単板だけで生産した単板積層材は吸放湿性が高く膨張収縮は小さくても環境変化で容易に反りが発生しやすい。ユーカリなど堅い木の単板だけで生産した単板積層材は生産工程のボードで反り・捻じれ・カップなどが出やすく、サンダー工程での押さえ装置が十分に機能しないために厚さを特定の精度以内で仕上げることが極めて困難であった。
【０００５】
また特許文献１などの積層複合木質材にあっては、平滑性向上を図り得ると共に、所定の厚さ精度で仕上げることが容易になるが、熱帯林保護の観点から供給量が大幅に削減されているといった課題などが存在する。
この従来のファルカタ・ラバーウッドや、中国産のポプラ・ユーカリのような積層複合木質材では、品質の安定などの理由により、低比重材と高比重材の各1樹種ずつ選択して積層することを原則としていた。
【先行技術文献】
【特許文献】
【０００６】
【特許文献１】特許４０１２８８１号公報
【発明の概要】
【発明が解決しようとする課題】
【０００７】
上記の事情に鑑み、本発明は、地球環境と原料産地に社会的な貢献をする国産材などを主原料として、エンジニアードウッド製品供給を可能とする新たな積層複合木質材とその製造方法の開発を試みたものである。
【課題を解決するための手段】
【０００８】
本発明は、複数枚の薄板材が上下に積層された積層複合木質材において、用いる単板の樹種を、２分していた従来の積層複合木質材ではなく、気乾比重０．５以上０．６未満の複数枚の中質薄板材と、気乾比重０．４以下の複数枚の柔質薄板材と、気乾比重０．７以上の堅質薄板材との３種に分けたものであり、特に中質薄板材については、複数の樹種の薄板材が混在させた積層複合木質材を提供する。
【０００９】
なお本発明において、樹種によって気乾比重に幅がある場合には、その幅の下方の値を気乾比重とする。
前記中質薄板材と前記柔質薄板材とは、前記積層複合木質材の積層中心から上下に略対称に配置する。
また、前記堅質薄板材は、前記積層複合木質材の上下両方の表面側に配置する。前記堅質薄板材を表面側に配置する場合は、同じ厚さの単板を同じ枚数を表裏の両面に配置することが重要である。片面にだけ前記堅質薄板材を貼った場合には、反りやカップの原因になる。
【００１０】
本発明の実施に際しては、中質薄板材に複数の樹種を混在させる方が、積層複合木質材の特性が安定することが知見された。一般的に、また特許文献１の実施に際しても、積層使用する単板の樹種は、単一であるほうが積層複合木質材の特性が安定すると考えられているが、中質薄板材にあっては、異なる樹種を混在させても、特性が安定するという結果を得たものである。この新たな知見は、長年木材産業やその研究に携わってきた発明者にとっても、驚くべき新たな知見であった。
【００１１】
具体的な前記柔質薄板材は、スギ・トドマツ・アカマツなどのマツ目マツ科とマツ目ヒノキ科とからなる群に属する樹種から選択された少なくとも１種を含むものとすることができる。
また前記中質薄板材は、アベマキ・センダン・シラカバなどのニレブナ目カバノキ科、バラ目ニレ科及びムクロジ目センダン科からなる群に属する樹種から選択された少なくとも１種を含むものとすることができる。
前記堅質薄板材は、コナラなどのナラ、クヌギ、カシなど、ブナ目ブナ科からなる群に属する樹種から選択された少なくとも１種を含むものとすることができる。
表１にこれらをまとめて表示するが、記載した具体的な目科属種以外であっても木乾比重の条件を満たすものであれば使用してもかまわないし、その産地についても限定して理解されるべきではない。
【００１２】
【表１】
0006407134.tif 000002
【発明の効果】
【００１３】
本発明は、地球環境と原料産地に社会的な貢献をする国産材などを主原料として、エンジニアードウッド製品供給を可能とする新たな積層複合木質材とその製造方法を提供することができたものである。
【図面の簡単な説明】
【００１４】
【図１】本発明の実施の形態に係る積層複合木質材の層構造を示す説明図。
【図２】本発明の他の実施の形態に係る積層複合木質材１２の層構造を示す説明図。
【図３】図１の積層複合木質材の曲げヤング係数のヒストグラム。
【図４】図１の積層複合木質材の曲げ強度のヒストグラム。
【図５】本発明の実施の形態に係る積層複合木質材の製造方法の説明図。
【発明を実施するための形態】
【００１５】
以下、図面に基づき本発明の実施の形態を説明する。
本発明は、前述のとおり、地球環境と原料産地に社会的な貢献をする国産材などを主原料として、エンジニアードウッド製品供給を可能とする新たな積層複合木質材とその製造方法を提供する。
【００１６】
本発明の実施の形態に係る積層複合木質材１２の層構造を図１に示す。
この実施の形態に係る積層複合木質材１２は、気乾比重0.5以上0.6未満の複数枚の中質単板１４と、気乾比重0.4以下の複数枚の柔質単板１３とが、積層複合木質材１２の厚み方向の積層中心から上下（表裏）に略対称に配置されている。各単板１１同士は単板積層用の周知の接着剤により接着されている。
【００１７】
この例では、積層中心に複数枚の柔質単板１３を配置し、図中の番号の5〜13の９枚の単板１１と、14〜22との９枚の単板１１とが、柔質単板１３（図中の白地）と中質単板１４（図中の灰色地）とを交互に配置された状態で、上下に対称にとなっている。そして、図中の番号の1〜4の４枚の単板１１と、23〜26の４枚の単板１１とが、中質単板１４のみで構成された状態で、上下に対称にとなっている。なお、単板は、原木をかつら剥きにした板材が一般的であるが、他の製法による板材であってもよい。
【００１８】
柔質単板１３には、スギ（気乾比重0.36〜0.40）、トドマツ（気乾比重0.36〜0.40）、エゾマツ（気乾比重0.40〜0.43）などのマツ目マツ科及びマツ目ヒノキ科の樹種を用いることができ、中質単板１４には、ニレ（気乾比重0.59）・センダン（気乾比重0.55〜0.65）・シラカバ（気乾比重0.57〜0.63）などのブナ目カバノキ科、バラ目ニレ科及びムクロジ目センダン科の樹種を用いることができるが、中質単板１４にあっては、複数の樹種を混在させることが適当である。これらは国産材を好適に用いることができるが、輸入材を用いることもできる。
【００１９】
なお、この配置は略対称であることを条件に適宜変更することができ、例えば、積層中心には複数枚の柔質単板１３を重ねて配置することもできる。言いかえれば、積層中心付近を単板１１の数（積層厚み）が、中質単板１４よりも柔質単板１３の方が多い柔質部とし、上下（表裏）寄りを単板１１の数（積層厚み）が柔質単板１３よりも中質単板１４の方が多い中質部とし、両者の間を中質単板１４と柔質単板１３とが混在している混在部とすることができる。なお対称であるとは、数学的な意味での正確な対称であることを意味するのではなく、単板１１の厚みや枚数に若干の違いを許容するもので、上記のように柔質部、混在部、堅質部との配置構成であったり、柔質部のない、混在部と堅質部との配置構成であったり、混在部のみの配置構成であったりするものであればよい。なお混在部は、柔質単板１３と中質単板１４とを1枚ずつ交互に配置することもでき、２枚以上ずつ交互に配置することもできる。
単板１１の少なくとも１枚を、その繊維方向が他の単板の繊維方向に略直交するように配置することにより、繊維方向に直交する方向における曲げ強度を高め、積層複合木質材の方向性を低減することができる。
【００２０】
また、図２に示す例では、積層複合木質材１２の上下の表裏両面に、気乾比重０．７以上の堅質単板１５を配置したものであり、これによって、表面硬度の高い積層複合木質材１２を得ることができる。堅質単板１５としては、コナラ（気乾比重0.82）、アベマキ（気乾比重0.98）、クヌギ（気乾比重0.89）、カシ（気乾比重0.90）などのブナ目ブナ科を好適に用いることができるが、輸入材を用いることもできる。
【００２１】
例えば柔質単板１３のスギは、国産材資源として大量の蓄積があるが、強度が弱い、曲げヤング係数が小さい、製材品での乾燥のバラツキが大きいなど材質上の問題のため需要量が少ない。また、スギの生産は間伐が必要な林業で、間伐材の需要開発が喫緊の課題となっている。さらに主伐材の供給圧力が増加してスギが柱材適用直径を超えた原木(中目材)が安い価格で取引されて、林業の採算性を著しく損ねている。その気乾比重は、0.35〜0.40程度で比重が低く吸放湿による膨張収縮が少ないので、昔から造作材や指物家具材料として使われてきたもので、スギ林として栽培され、単一樹種で安定的に供給されるため、柔質単板１３には単一樹種で実施することが可能となる。なお特に限定するものではないが、原木長さを1m以上、直径20cmm以上の通直材の条件で選別して用いることが適当である。
【００２２】
ところがスギなど柔質単板１３だけで生産した単板積層材は、曲げ強度や曲げヤング係数が低いことはもちろん、吸放湿性が高く膨張収縮は小さくても環境変化で容易に反りが発生しやすい。
これに対して、中質単板１４は、曲げ強度や曲げヤング係数が比較的高く、吸放湿性が低くて環境変化での反りが発生しにくい反面、生産工程のボードで反り、捻じれ、カップなどが出やすく、サンダー工程での押さえ装置が十分に機能しないために厚さを要求される精度以内で仕上げることが極めて困難であった。
【００２３】
この実施の形態に係る積層複合木質材１２は、柔質単板１３と中質単板１４とを層方向に略対称に積層したことによって、両者の物性を均質化することができた。
これにより、単一樹種の単板積層材と比較して、曲げ強度、曲げヤング係数などのバラツキが小さくなると共に、特に反りに関しては、中質単板１４の膨張収取の寸法変化を柔質単板１３が吸収して寸法安定性を維持することができる。また、柔質単板１３と中質単板１４を積層した積層複合木質材１２は、柔質単板１３のみを積層ボードと同様にホットプレス後の平滑性向上と、研磨時のサンダーの押さえが効いて、所定の厚さ精度で仕上げることが容易になる。
【００２４】
特に、極端に材質の異なる柔質単板１３と堅質単板１５とではなく、柔質単板１３と中質単板１４とを、交互に用いるなど積層中心から上下に略対称に配置することによって、比較的近い材質の単板１１を中心の群として積層することによって、両者の補完関係を無理なく実現させることができる。
【００２５】
さらに、中質単板１４については、異なる複数の樹種を混在させるほうが、特性が安定するという結果を得たものである。
【００２６】
樹木の髄から辺材部における材質（例えば、曲げヤング係数、容積密度）の変化については、単一樹種でも部位により物性に大きな相違があることが、既に知られている。これに対して、図１に示す実施の形態に係る積層複合木質材１２にあっては、曲げヤング係数が平準化されていると共に標準偏差も0.5014と小さくなっており（図３参照）、曲げ強度も平準化されているものである（図４参照）。これは、積層複合木質材１２の積層構造と、樹種の多様化が物性の平準化につながったものと、本発明者は考えている。
【００２７】
図５は積層複合木質材の製造方法を示すもので、この製造方法は、単板製造ステップ２１と単板輸送ステップ２２と積層ステップ２３との各ステップを備える。
単板製造ステップ２１は、山林２０などの原料木材の産地ごとに、産地付近に設けられた産地製造所２４にて、山林２０から伐採した木材を加工して各単板１１を製造する工程である。単板輸送ステップ２２は、原料木材の産地から遠い積層製造所２５へ、産地製造所２４で製造された単板１１をトラックや船や鉄道などで輸送する工程である。積層ステップ２３は、積層製造所２５で、単板１１を積層して積層複合木質材１２を製造する工程である。
【００２８】
産地製造所２４には、個別に安価なロータリーレースを設置して、厚さムラが少し許容される単板１１を生産し、太陽熱による自然乾燥をして山村地域での付加価値を付与する。この単板１１を単板輸送ステップ２２で積層製造所２５へ搬送することによって、従来のように山林２０から伐採した原木を原木のまま遠い工場にまで搬送する場合に比して消費エネルギーを削減することができると共に、積層製造所２５付近で集積することで、産地の異なる単板１１を選択して積層製造所２５で生産することを可能にする。積層製造所２５には大型の積層加工装置を配置し、各種単板１１から積層複合木質材１２を製造する。その際、ワイドベルトサンダー加エ前の単板１１は、単板製造ステップ２１で適切な条件にまで加工されており、単板１１のカップ・反り・捻じれなどの変形が小さくなるうえに、前述の積層構造によって、サンダーの押さえが効くように柔らかくなり、ボード厚さ精度が向上することで、積層複合木質材１２の製品品質が安定するものである。
【符号の説明】
【００２９】
１１単板
１２積層複合木質材
１３柔質単板
１４中質単板
１５堅質単板
２４産地製造所
２５積層製造所
【図１】
0006407134.tif 000003
【図２】
0006407134.tif 000004
【図３】
0006407134.tif 000005
【図４】
0006407134.tif 000006
【図５】
0006407134.tif 000007